(57)【要約】【課題】レンズを保持するホルダを弾性支持するバネ部材の衝撃による塑性変形を防止してレンズ駆動装置の耐久性を向上させるとともに、光軸ズレを抑制する。【解決手段】レンズホルダを固定部材である上下のケースに弾性支持するバネ部材を円環状の内周側固定部１１と、４本の直線状の枠部１２ａとこれらの枠部１２ａの端部に設けられたコの字状の折り曲げ部１２ｂとから成る外周側固定部１２と、内周側固定部１１と外周側固定部１２の上記折り曲げ部１２ｂとを連結する、上記枠部１２ａに平行な方向に延長する梁部２ａとを有する板バネ１Ａを、上記枠部１２ａの外周側を含む直線に沿って折り曲げて形成した、内周側及び外周側固定部１１，１２と同じ平面内に直進する第１の梁部１３ａと、上記第１の梁部１３ａの延長方向に直交する平面内において上記折り曲げ部１２ｂに連結する第２の梁部１３ｂとを備えた腕部１３を備えたバネ部材１０とした。【選択図】図１
2008122846.tif 000002
【特許請求の範囲】
【請求項１】
レンズを保持するホルダに固定される内周側固定部と、上記ホルダの外側に離間して配置された固定部材に固定される外周側固定部と、上記内周側固定部と外周側固定部を連結する腕部とを備え、上記ホルダを上記固定部材に弾性支持するレンズ駆動装置用バネ部材において、上記腕部を上記内周側及び外周側固定部と同一平面内に配置される第１の梁部と、外周側固定部との手前において折り曲げられた第２の梁部とから構成するとともに、上記第２の梁部の法線方向と上記第１の梁部の延在方向とを略同一としたことを特徴とするレンズ駆動装置用バネ部材。
【請求項２】
上記第２の梁部は、その端部が内周側固定部に連結される直進する梁部の一部を折り曲げたものであることを特徴とする請求項１に記載のレンズ駆動装置用バネ部材。
【請求項３】
上記第２の梁部は、その端部が内周側固定部に連結されるＬ字状に屈曲する梁部を屈曲部近傍で折り曲げたものであることを特徴とする請求項１に記載のレンズ駆動装置用バネ部材。
【発明の詳細な説明】
【技術分野】
【０００１】
本発明は、カメラ等のレンズ駆動装置に用いられる、対物レンズを保持するレンズホルダを固定部材に弾性支持するバネ部材に関するものである。
【背景技術】
【０００２】
近年、携帯電話等に搭載されるカメラは画素数が増大されるとともに、ズーム処理やマクロ処理等の高機能化が進んでいることから、搭載されるレンズ系についても、従来の固定焦点のものだけでなく、可動焦点のものも投入されてきている。この可動焦点のレンズ系の駆動方式としては、図１６に示すような、ボイスコイルモータを用いたレンズ駆動装置５０が多く用いられている。このレンズ駆動装置５０は、軟鉄等の磁性体から成るヨーク５１と、上記ヨーク５１の外壁に取付けられるマグネット５２と、中央位置にレンズ５３を保持するレンズホルダ５４と、このレンズホルダ５４に装着される駆動用コイル５５と、上記ヨーク５１が装着されるベース５６と、上記ベース５６を支えるフレーム５７と、上記レンズホルダ５４を上下で支持する２個のバネ部材５８Ａ，５８Ｂと、このバネ部材５８Ａ，５８Ｂの上下を覆う２個のキャップ５９Ａ，５９Ｂとを備えている。
上記バネ部材５８Ａ，５８Ｂは、詳細には、図１７に示すように、円板状の板バネ５８の内周側に形成された１２０°毎の切り欠き溝５８ｋにより、それぞれが円環状である内周側固定環部５８ａと外周側固定環部５８ｂと、上記内周側固定環部５８ａと突出片５８ｍにより連結され上記外周側固定環部５８ｂと突出片５８ｎにより連結される３つの円弧状の腕部５８ｃとに分けられ、これら３つの腕部５８ｃが可動部である上記レンズホルダ５４を固定部であるフレーム５７及びベース５６とに可動支持するバネ部材の機能を有している(例えば、特許文献１参照)。
上記駆動用コイル５５は、上記ヨーク５１と上記マグネット５２とにより印加される、コイル周りに放射状に分布する磁界中に設置されているので、上記駆動用コイル５５に通電すると、上記駆動用コイル５５には、図１６の矢印に示すような、被写体の方向(上方)へ向けたローレンツ力が発生して、上記レンズホルダ５４を上記バネ部材５８Ａ，５８Ｂの復元力と釣り合った位置に移動させることができる。したがって、上記駆動用コイル５５に通電する電流値を制御することにより、上記レンズホルダ５４の移動量を制御して、上記レンズ５３の位置を制御することができる。
【０００３】
ところで、上記レンズ駆動装置５０に落下等の衝撃力が加わると、この衝撃力によりレンズホルダ５４が偏心して横方向にずれて、固定部材であるフレーム５７やベース５６に衝突し、この衝突の衝撃によりレンズホルダ５４が回転する場合がある。レンズホルダ５４が偏心あるいは回転すると、上記バネ部材５８Ａ，５８Ｂに圧縮応力や捩れを引き起こす応力が加わるため、上記バネ部材５８Ａ，５８Ｂの腕部５８ｃに座屈が生じて、塑性変形してしまう場合がある。
上記のような揺れや衝撃によるバネ部材の変形を緩和する方法としては、例えば、図１８（ａ）に示すように、円弧部を有する腕部５８ｃに代えて、径方向に略Ｓ字をなすように形成した腕部５８Ｓを設けて、この腕部５８Ｓの変形により、上記衝撃力を緩和する方法(例えば、特許文献２参照)や、図１８（ｂ）に示すように、上記腕部５８ｃの円弧部に代えて、互いに半径の異なる径で周方向に沿って延長する３つの周囲部６８ｐ，６８ｑ，６８ｒを連結した複合湾曲部６８ｗを設けるとともに、この複合湾曲部６８ｗの内周側固定環部６８ａと外周側固定環部６８ｂとの接続部である突出片６８ｍ，６８ｎを円弧状に形成した腕部６８ｃを備えたバネ部材６８Ａ，６８Ｂを作製し、上記内周及び外周連結部６８ｍ，６８ｎと上記複合湾曲部６８ｗの弾性変形により、上記衝撃力を分散させて上記バネ部材６８Ａ，６８Ｂの変形を抑制する方法 (例えば、特許文献３参照) などが提案されている。
【特許文献１】特開２００４−２８００３１号公報
【特許文献２】特開２００５−１２８３９２号公報
【特許文献３】特開２００６−２０１５２５号公報
【発明の開示】
【発明が解決しようとする課題】
【０００４】
しかしながら、腕部をＳ字型の腕部５８Ｓとしたり、腕部の円弧部を複数の湾曲部が形成された複合湾曲部６８ｗとした場合には、いずれも、バネ部材として機能する腕部の座屈については抑制することはできるものの、撓み変形と捩れ変形とが各所で複雑に混在するため、バネ係数が安定せず、そのため、レンズホルダ５４の平行移動が不安定になる恐れがある。このように、レンズホルダ５４の初期位置とレンズ移動時の位置とがずれると、レンズ駆動時のレンズ５３の傾斜が大きくなって光軸ズレが発生し、画像の周辺部分でピントが合わないといった問題点が発生する。
【０００５】
本発明は、従来の問題点に鑑みてなされたもので、レンズを保持するホルダを弾性支持するバネ部材の衝撃による塑性変形を防止してレンズ駆動装置の耐久性を向上させるとともに、光軸ズレを抑制することを目的とする。
【課題を解決するための手段】
【０００６】
本発明の請求項１に記載の発明は、レンズを保持するホルダに固定される内周側固定部と、上記ホルダの外側に離間して配置された固定部材に固定される外周側固定部と、上記内周側固定部と外周側固定部を連結する腕部とを備え、上記ホルダを上記固定部材に弾性支持するレンズ駆動装置用バネ部材において、上記腕部を上記内周側及び外周側固定部と同一平面内に配置される第１の梁部と、外周側固定部との手前において折り曲げられた第２の梁部とから構成するとともに、上記第２の梁部の法線方向と上記第１の梁部の延在方向とを略同一としたことを特徴とするものである。
請求項２に記載の発明は、請求項１に記載のレンズ駆動装置用バネ部材であって、上記第２の梁部を、その端部が内周側固定部に連結される直進する梁部の一部を折り曲げて形成したものである。
また、請求項３に記載の発明は、請求項１に記載のレンズ駆動装置用バネ部材であって、上記第２の梁部を、その端部が内周側固定部に連結されるＬ字状に屈曲する梁部を屈曲部近傍で折り曲げて形成したものである。
【発明の効果】
【０００７】
本発明によれば、レンズを保持するホルダと、このホルダの外側に配置された固定部材とを連結するバネ部材の腕部を、上記内周側及び外周側固定部と同一平面内に配置される第１の梁部と、その端部が内周側固定部に連結される直進する梁部の一部を折り曲げたり、その端部が内周側固定部に連結されるＬ字状に屈曲する梁部を屈曲部近傍で折り曲げたりするなどして形成された、外周側固定部との手前において折り曲げられた第２の梁部とから構成するとともに、上記第２の梁部の法線方向と上記第１の梁部の延在方向とを略同一とし、上記第１の梁部に加わった圧縮力や剪断力を第２の梁部の撓み及び捩れ変形として吸収することができるようにしたので、衝撃入力時における腕部の塑性変形を防止することができ、レンズ駆動装置の光軸ズレを抑制することができる。
【発明を実施するための最良の形態】
【０００８】
以下、本発明の最良の形態について、図面に基づき説明する。
最良の形態１．
図１は、本発明の最良の形態１に係るレンズ駆動装置用バネ部材１０を示す図で、（ａ）図はその斜視図、（ｂ）図はその展開図である。各図において、１１は内周側固定部、１２は外周側固定部、１３は上記内周側固定部１１と外周側固定部１２とを連結する縦断面がＬ字状の腕部で、この腕部１３が後述するレンズ駆動装置の可動部であるレンズホルダをレンズ駆動装置の固定部側に弾性支持するバネ部材の機能を有する。
本例では、図１（ｂ）に示すような、円環状の内周側固定部１１と、４本の直線状の枠部１２ａとこれらの枠部１２ａの端部に設けられたコの字状の折り曲げ部１２ｂとから成る外周側固定部１２と、上記内周側固定部１１と上記外周側固定部１２の上記折り曲げ部１２ｂとを連結する、上記枠部１２ａに平行な方向に延長する梁部２ａとを有する板バネ１Ａの上記折り曲げ部１２ｂと上記梁部２ａとを、同図の太い一点鎖線で示す、上記枠部１２ａの外周側を含む直線に沿って折り曲げて、上記バネ部材１０を形成する。
これにより、図１に示すような、一端が内周側固定部１１に連結され、内周側固定部１１と外周側固定部１２の枠部１２ａと同じ平面内において上記枠部１２ａに平行な方向に延長する第１の梁部１３ａと、一端が上記第１の梁部１３ａの他端に連結し、他端が上記第１の梁部１３ａの延長方向に直交する平面内において上記折り曲げられた折り曲げ部１２ｂに連結する第２の梁部１３ｂとを備えた、当該バネ部材１０の中心に対して互いに９０度ずつずれて形成された４本の腕部１３を備えたレンズ駆動装置用バネ部材(以下、バネ部材という)１０を得ることができる。
【０００９】
また、図２は上記バネ部材１０を用いたレンズ駆動装置２０の構成を示す模式図で、各図において、２１はレンズ、２２はこのレンズ２１を保持するレンズホルダ、２３は上記レンズホルダに装着される環状の駆動用コイル、２４は上記駆動用コイル２３に放射状に分布する磁界を印加するためのマグネット、２５はヨーク、２６Ａ，２６Ｂは上記レンズホルダ２２の外側に離間して配置された固定部材である上ケースと下ケース、２７は上記マグネット２４とヨーク２５とを装着するベースで、このベース２７は上記下ケース２６Ｂに支持されている。
本例では、レンズホルダ２２のレンズ開口部側（上部）と上ケース２６Ａ、及び、上記レンズホルダ２２のレンズ開口部側とは反対側（下部）と下ケース２６Ｂとを連結する上，下のバネ部材として、上記バネ部材１０と同じ構成のバネ部材１０Ｐ，１０Ｑを用いている。詳細には、上部のバネ部材１０Ｐの外周部は上記上ケース２６Ａとスペーサ２８との間に固定され、その内周部は上記レンズホルダ２２の上部に固定されている。一方、下部のバネ部材１０Ｑの外周部は上記ベース２７と上記下ケース２６Ｂとの間に固定され、その内周部は上記レンズホルダ２２の下部に固定されている。これにより、上記レンズ駆動装置２０の可動部であるレンズホルダ２２を固定部である上下のケース２６Ａ，２６Ｂに弾性支持することができる。
【００１０】
次に、上記バネ部材１０（１０Ｐ，１０Ｑ）の動作について説明する。
本例のバネ部材１０は、上記のように、板バネ１Ａの内周側固定部１１と外周側固定部１２の枠部１２ａと同じ平面内を直進する梁部２ａを折り曲げて、上記平面内を直進する第１の梁部１３ａと、上記梁部２ａが折り曲げられた、上記平面及び第１の梁部１３ａの延長方向と直交する第２の梁部１３ｂとから構成されているので、レンズ２１の駆動時には上記第１及び第２の梁部１３ａ，１３ｂはともに撓み変形のみをするので、４本の腕部のバネ係数が揃い、駆動時に被写体方向に向けたレンズホルダ２２の平行移動を安定して行わせることができる。
また、レンズホルダ２２が横方向にシフトするような外力（衝撃）が作用し、この衝撃により第１の梁部１３ａの長手方向に圧縮力(座屈方向の応力)が加わった場合には、上記第１の梁部１３ａの延長方向に直交するように延長する第２の梁部１３ｂが上記圧縮力を撓み変形として吸収するので、上記第１の梁部１３ａが上記圧縮力により座屈変形することはない。一方、上記の衝撃により第１の梁部１３ａの幅方向へ剪断力が加わった場合には、第２の梁部１３ｂが上記圧縮力を捩れ変形として吸収することにより、上記第１の梁部１３ａの座屈変形を防止する。したがって、レンズホルダ２２が横方向にシフトするような衝撃が作用した場合でも、上記腕部１３の塑性変形を防止することができるので、レンズ駆動装置２０の耐久性を向上させることができる。
【００１１】
このように、本最良の形態１によれば、レンズホルダ２２を固定部材である上下のケース２６Ａ，２６Ｂに弾性支持するバネ部材として、円環状の内周側固定部１１と、４本の直線状の枠部１２ａとこれらの枠部１２ａの端部に設けられたコの字状の折り曲げ部１２ｂとから成る外周側固定部１２と、上記内周側固定部１１と上記外周側固定部１２の上記折り曲げ部１２ｂとを連結する、上記枠部１２ａに平行な方向に延長する梁部２ａとを有する板バネ１Ａの上記折り曲げ部１２ｂと上記梁部２ａとを、上記枠部１２ａの外周側を含む直線に沿って折り曲げて形成した、内周側固定部１１と外周側固定部１２の枠部１２ａと同じ平面内に直進する第１の梁部１３ａと、一端が上記第１の梁部１３ａの他端に連結し、他端が上記第１の梁部１３ａの延長方向に直交する平面内において上記折り曲げ部１２ｂに連結する第２の梁部１３ｂとを備えた腕部１３を備えたレンズ駆動装置用バネ部材１０を用いることにより、第１の梁部１３ａへ作用する圧縮力もしくは剪断力を第２の梁部１３ｂの撓み変形もしくは捩れ変形として吸収することができるようにしたので、レンズホルダ２２が横方向にシフトするような衝撃が作用した場合でも、上記バネ部材１０に作用する応力を十分に吸収することができる。したがって、上記バネ部材１０の塑性変形を防止することができ、レンズ駆動装置２０の耐久性を向上させることができるとともに、レンズ２１を安定して被写体方向に移動させることができる。
【００１２】
なお、上記最良の形態１では、幅の等しい梁部２ａを有する板バネ１Ａを折り曲げたが、上記板バネ１Ａに変えて、図３（ａ），（ｂ）に示すように、内周側固定部１１側の太さと外周側固定部１２側の太さの異なる梁部２ｂを有する板バネ１Ｂを用いて、第１の梁部１３ａの幅と第２の梁部１３ｂの幅とを異なるようにしてもよい。このように、第１の梁部１３ａの幅と第２の梁部１３ｂの幅とを異なるようにすれば、第２の梁部１３ｂの撓み変形もしくは捩れ変形の量を調整できるので、上記バネ部材１０の塑性変形を確実に防止することができる。
また、上記例では、板バネ１Ａの直進する梁部２ａを直角に折り曲げて第１及び第２の梁部１３ａ，１３ｂを形成したが、図４に示すような、外周側固定部１２の折り曲げ部１２ｂを枠部１２ａの略中央に設けるとともに、内周側固定部１１と折り曲げ部１２ｂとを連結する直進する梁部２ｃを有する板バネ１Ｃを用いて、直進する第１の梁部と梁部２ｃがやや斜めに折り曲げられた第２の梁部とを有するバネ部材を形成し、これを上記レンズ駆動装置２０のバネ部材１０Ｐ，１０Ｑに適用しても、同様の効果を得ることができる。
【００１３】
最良の形態２．
図５は、本最良の形態２に係るレンズ駆動装置用バネ部材１０Ａを示す図で、（ａ）図は展開図（折り曲げ前の板バネ）、（ｂ）図は平面図、（ｃ）図は斜視図である。本例のバネ部材１０Ａは、上記最良の形態１の板バネ１Ａに代えて、外周側固定部１２の折り曲げ部１２ｂであるコの字状の部分を内周側にずらした板バネ１Ｄを折り曲げて作製したもので、同図の太い一点鎖線で示した折り曲げ位置も内周側にずらして、第１の梁部１３ａと第２の梁部１３ｂとの接合部である腕部１３の折り曲げ部の位置をレンズ駆動装置２０の内側に設けるようにしている。これにより、第１の梁部１３ａが短くなるので、第１の梁部１３ａへ作用する応力を第２の梁部１３ｂの変形として吸収しやすくなるので、上記バネ部材１０の塑性変形を確実に防止することができる。
上記バネ部材１０Ａを下ケース２６Ｂに組み付ける際には、図６（ａ）に示すように、下ケース２６Ｂに予め第２の梁部１３ｂが収納される穴部２６ｈと上記折り曲げ部１２ｂを挿入して固定するための溝部２６ｋとを設けておき、上記穴部２６ｈと溝部２６ｋに上記第２の梁部１３ｂと折り曲げ部１２ｂをそれぞれ挿入し、図６（ｂ）〜（ｄ）に示すように、上記折り曲げ部１２ｂのみを溝部２６ｋに固定し、第２の梁部１３ｂは穴部２６ｈ内部ではフリーにする。これにより、駆動時には、上記バネ部材１０Ａのみを変形させることができる。なお、図６では、取付け状態を分かり易くするため、下ケース２６Ｂの４隅に立設されている柱部を省略した。
図７は、本例のバネ部材１０Ａを上下のバネ部材に適用したレンズ駆動装置２０Ａの分解斜視図で、上側のバネ部材１０Ｐは、上記バネ部材１０Ａを裏返しに使用し、折り返した部分（第２の梁部１３ｂと外周側固定部１２の折り曲げ部１２ｂ）を上ケース２６Ａの図示しない取付け穴と溝部とに挿入し、上記折り曲げ部１２ｂをスペーサ２８と上ケース２６Ａにて挟持して固定するとともに、内周側固定部１１をレンズホルダ２２の上部側に固定する。一方、下側のバネ部材１０Ｑは、上記バネ部材１０Ａをそのまま使用し、折り返した部分を下ケース２６Ｂの穴部２６ｈと溝部２６ｋとに挿入し、上記折り曲げ部１２ｂをベース２７と下ケース２６Ｂにて挟持して固定するとともに、内周側固定部１１をレンズホルダ２２の上部側に固定して、上記レンズホルダ２２を上下のケース２６Ａ，２６Ｂに弾性支持する。
【００１４】
なお、上記最良の形態１，２では、板バネ１Ａの梁部２ａをコの字状の折り曲げ部１２ｂの中央の辺に連結したが、図８に示すような、コの字状の折り曲げ部１２ｂの中央の辺とバネ部材の隅部側の辺に連結した板バネ１Ｅを用いてバネ部材を作製してもよい。この場合には、上記図５に示したバネ部材１０Ａよりも、第２の梁部１３ｂとの幅と折り曲げ部１２ｂとの連結部が強固となるので、第１の梁部１３ａへ作用する応力を第２の梁部１３ｂの変形として更に吸収しやすくなるという利点がある。
また上記バネ部材１０Ａの組み付け方法としては、図９（ａ）に示すように、下ケース２６Ｂに予め第２の梁部１３ｂと折り曲げ部１２ｂとが収納される収納穴２６Ｈを設け、上記収納穴２６Ｈに上記第２の梁部１３ｂと折り曲げ部１２ｂをそれぞれ挿入するようにしてもよい。この場合、図９（ｂ）〜（ｄ）に示すように、上記収納穴２６Ｈ内部においては、第２の梁部１３ｂだけでなく、上記折り曲げ部１２ｂもフリーにする。これにより、上記折り曲げ部１２ｂも上記第２の梁部１３ｂと同様に、レンズホルダ２２が横方向にシフトするような衝撃が作用したときに上記バネ部材１０Ａに作用する応力を吸収することができるので、外力(衝撃)によるレンズホルダ２２の横方向へのシフトに対する耐性を更に向上させることができる。
また、上記例では、上部のバネ部材１０Ｐと下部のバネ部材１０Ｑの両方に本発明によるバネ部材１０，１０Ａを適用したが、上部のバネ部材１０Ｐと下部のバネ部材１０Ｑのいずれか一方を本発明によるバネ部材１０，１０Ａとし、他方の板バネを従来の構造のバネ部材としても、バネ部材の塑性変形を十分に防止することができる。
また、本発明によるバネ部材１０，１０Ａをレンズホルダ２２の上部または下部のいずれか一方のみに配置し、他方のバネ部材を省略した構成としてもよい。
【００１５】
また、上記最良の形態２では、板バネ１Ａの梁部２ａとコの字状の折り曲げ部１２ｂとを１回だけ折り曲げて上記バネ部材１０Ａを作製したが、図１０（ａ）〜（ｄ）に示すように、梁部２ａと折り曲げ部１２ｂとを更に１回以上折り曲げて作製してもよい。このようにして得られたバネ部材１０Ｂでは、第２の梁部１３ｂの撓み及び捩れ変形が上記バネ部材１０Ａよりも一層容易になるとともに、上下のケース２６Ａ，２６Ｂに設ける収納穴２６Ｈを浅くできるので、レンズ駆動装置２０Ａを更に小型化することができる。
また、図１１（ａ）〜（ｄ）に示すように、梁部２ａと折り曲げ部１２ｂと円弧状に折り曲げて作製したバネ部材１０Ｃでも、上記バネ部材１０Ｂと同様の効果を得ることができる。
【００１６】
最良の形態３．
図１２(ａ)，（ｂ）は本最良の形態３に関わるレンズ駆動装置用バネ部材３０の構成とこのバネ部材３０を作製するための板バネ３Ａを示す図である。各図において、３１は円環状の内周側固定部、３２は４本の直線状の枠部３２ａとこれらの枠部３２ａの端部に設けられたコの字状の折り曲げ部３２ｂとから成る外周側固定部、３３は上記内周側固定部３１と外周側固定部３２とを連結する腕部で、本例では、上記最良の形態１，２の板バネ１Ａの直進する梁部２ａに代えて、一端が上記内周側固定部３１に連結され、他端が上記コの字状の折り曲げ部３２ｂの当該バネ部材３０の中央側の辺（以下、連結用辺という）３２ｃに連結されるＬ字状の梁部４ａを有する板バネ３Ａの上記折り曲げ部３２ｂと上記梁部４ａとを、同図の太い一点鎖線で示す、上記枠部３２ａの外周側を含む直線に沿って折り曲げて、上記バネ部材３０を作製する。
上記Ｌ字状の梁部４ａは、折り曲げ後に第１の梁部３３ａとなる平行直進部４３ａと、上記枠部３２ａの外周側を含む直線近傍で上記平行直進部４３ａから当該バネ部材３０の中央方向に直角に折れ曲がる、折り曲げ後に第２の梁部３３ｂとなる直交直進部４３ｂとから構成されている。したがって、この板バネ３Ａを上記の箇所で折り曲げることにより、図１２（ａ）に示すような、一端が内周側固定部３１に連結され、内周側固定部３１と外周側固定部３２の枠部３２ａと同じ平面内において上記枠部３２ａに平行な方向に延長する第１の梁部３３ａと、一端が上記第１の梁部３３ａの他端に連結し、他端が上記第１の梁部３３ａの延長方向に直交する平面内において上記折り曲げられた折り曲げ部３２ｂの連結用辺３２ｃに連結する第２の梁部３３ｂとを備えた、当該バネ部材３０の中心に対して互いに９０度ずつずれて形成された４本の腕部３３を備えたレンズ駆動装置用バネ部材(以下、バネ部材という)３０を得ることができる。
【００１７】
本例のバネ部材３０の腕部３３は、上記最良の形態１，２とは異なり、レンズ２１の駆動時には上記第１の梁部３３ａは撓み変形、第２の梁部３３ａは捩れ変形とそれぞれ別の変形をするが、この場合にも、４本の腕部のバネ係数が揃うので、駆動時に被写体方向に向けたレンズホルダ２２の平行移動を安定して行わせることができる。
また、レンズホルダ２２が横方向にシフトするような外力（衝撃）が作用し、この衝撃により第１の梁部３３ａの長手方向に圧縮力（座屈方向の応力）が加わった場合には、上記第１の梁部３３ａの延長方向に直交するように延長する第２の梁部３３ｂが上記圧縮力を撓み及び捩れ変形として吸収するので、上記第１の梁部３３ａが上記圧縮力により座屈変形することはない。一方、上記の衝撃により第１の梁部３３ａの幅方向へ剪断力が加わった場合には、第２の梁部３３ｂが上記圧縮力を撓み変形として吸収することにより、上記第１の梁部３３ａの座屈変形を防止する。
したがって、レンズホルダ２２が横方向にシフトするような衝撃が作用した場合でも、上記腕部３３の塑性変形を防止することができるので、レンズ駆動装置の耐久性を向上させることができるとともに、光軸ずれを抑制することができる。
【００１８】
なお、上記最良の形態３においても、図１３（ａ）に示すような、上記板バネ３Ａに代えて、外周側固定部３２の折り曲げ部３２ｂであるコの字状の部分を内周側にずらした板バネ３Ｄを準備するとともに、同図の太い一点鎖線で示す折り曲げ位置についても内周側にずらして、第１の梁部３３ａと第２の梁部３３ｂとの接合部である腕部３３の折り曲げ部の位置をレンズ駆動装置２０の内側に設けるようにしてもよい。この板バネ３Ｄを上記折り曲げ箇所で折り曲げると、図１３（ｂ），（ｃ）に示すように、第１の梁部３３ａが短く、かつ、第２の梁部３３ｂには上記バネ部材１０，１０Ａのようなレンズ駆動時に撓み変形する部分が付加されたバネ部材３０Ａを得ることができる。これにより、上記バネ部材３０Ａは図１２に示したバネ部材３０よりも、第１の梁部３３ａへ作用する応力を第２の梁部３３ｂの変形として吸収しやすくなるので、上記バネ部材の塑性変形の防止効果を更に向上させることができる。
【００１９】
また、Ｌ字状の梁部４ａを折り曲げて作製したバネ部材においても、図１４（ａ），（ｂ）に示すように、平行直進部４３ａの幅と直交直進部４３ｂの幅とが異なる梁部４ｂを有する板バネ３Ｂ，３Ｃを準備すれば、第１の梁部３３ａの幅と第２の梁部３３ｂの幅とが異なるバネ部材を得ることができる。
また、上記例では、板バネ３Ａの梁部４ａを、平行直進部４３ａの延長方向と直交直進部４３ｂの延長方向とが直交するようなＬ字形状としたが、Ｌ字形状の屈曲角度を９０度とせずに、やや鋭角もしくはやや鈍角としてもよい。
また、上記最良の形態１，２，３では、梁部２ａ，２ｂ，２ｃや梁部４ａ，４ｂを直線もしくは直線を組合わせた形状としたが、図１５（ａ）に示すような、内周側固定部３２の円弧に沿った上記円弧よりも半径の大きな円弧状に伸びた梁部６ａを有する板バネ５Ａを作製し、これを折り曲げてレンズ駆動装置用バネ部材としてもよい。
あるいは、図１５（ｂ）に示すような、内周側固定部３２の円弧から離れるような円弧状の梁部８ａを有する板バネ７Ａを作製し、これを折り曲げてもよい。
【産業上の利用可能性】
【００２０】
以上説明したように、本発明によれば、レンズ駆動装置用バネ部材の座屈変形を防止することができるので、レンズ駆動装置の耐久性を向上させることができるとともに、光軸ずれを抑制することができる。
【図面の簡単な説明】
【００２１】
【図１】本最良の形態１に係るレンズ駆動装置用バネ部材の構成を示す図である。
【図２】本発明に係るレンズ駆動装置の構成を示す模式図である。
【図３】本発明によるレンズ駆動装置用バネ部材の他の構成を示す図である。
【図４】本発明によるレンズ駆動装置用バネ部材を作製するための板バネの他の構成例を示す図である。
【図５】本最良の形態２に係るレンズ駆動装置用バネ部材の構成を示す図である。
【図６】本発明によるレンズ駆動装置用バネ部材の取付け構造を示す図である。
【図７】本発明に係るレンズ駆動装置用の分解斜視図である。
【図８】本発明によるレンズ駆動装置用バネ部材を作製するための板バネの他の構成例を示す図である。
【図９】レンズ駆動装置用バネ部材の取付け構造の他の例を示す図である。
【図１０】本発明によるレンズ駆動装置用バネ部材の他の構成を示す図である。
【図１１】本発明によるレンズ駆動装置用バネ部材の他の構成を示す図である。
【図１２】本発明の最良の形態３に係るレンズ駆動装置用バネ部材の構成を示す図である。
【図１３】本発明によるレンズ駆動装置用バネ部材の他の構成を示す図である。
【図１４】本発明によるレンズ駆動装置用バネ部材を作製するための板バネの他の構成例を示す図である。
【図１５】本発明によるレンズ駆動装置用バネ部材を作製するための板バネの他の構成例を示す図である。
【図１６】従来のレンズ駆動装置の構成を示す図である。
【図１７】従来の板バネ(バネ部材)の構成を示す図である。
【図１８】従来の板バネの他の構成を示す図である。
【符号の説明】
【００２２】
１Ａ〜１Ｅ  板バネ、２ａ〜２ｃ  梁部、３Ａ〜３Ｄ，４ａ，４ｂ  梁部、
５Ａ，７Ａ  板バネ、６ａ，８ａ  梁部、
１０，１０Ａ〜１０Ｃ，３０，３０Ａ  レンズ駆動装置用バネ部材、
１０Ｐ  上部のバネ部材、１０Ｑ  下部のバネ部材、１１，３１  内周側固定部、
１２，３２  外周側固定部、１２ａ，３２ａ  枠部、
１２ｂ，３２ｂ  コの字状の折り曲げ部、１３，３３  腕部、
１３ａ，３３ａ  第１の梁部、１３ｂ，３３ｂ  第２の梁部、
２０  レンズ駆動装置、２１  レンズ、２２  レンズホルダ、２３  駆動用コイル、
２４  マグネット、２５  ヨーク、２６Ａ  上ケース、２６Ｂ  下ケース、
２６ｈ  穴部、２６ｋ  溝部、２６Ｈ  収納穴、２７  ベース、２８  スペーサ、
３２ｃ  連結用辺、４３ａ  平行直進部、４３ｂ  直交直進部。
【図１】
2008122846.tif 000003
【図２】
2008122846.tif 000004
【図３】
2008122846.tif 000005
【図４】
2008122846.tif 000006
【図５】
2008122846.tif 000007
【図６】
2008122846.tif 000008
【図７】
2008122846.tif 000009
【図８】
2008122846.tif 000010
【図９】
2008122846.tif 000011
【図１０】
2008122846.tif 000012
【図１１】
2008122846.tif 000013
【図１２】
2008122846.tif 000014
【図１３】
2008122846.tif 000015
【図１４】
2008122846.tif 000016
【図１５】
2008122846.tif 000017
【図１６】
2008122846.tif 000018
【図１７】
2008122846.tif 000019
【図１８】
2008122846.tif 000020